(57)【要約】【課題】盗難防止効果を向上できる盗難防止機能を有するバッグを提供する。【解決手段】バッグ１の隠れた位置にコントロールスイッチ１１および音を発するアラーム１２がそれぞれ設置されている。開閉回路がバッグ１各面に配置されており、かつコントロールスイッチ１１およびアラーム１２に接続されていることにより、使用者がコントロールスイッチ１１を起動させた後、バッグ１のいかなる面が開けられたり、破壊されたりした場合でも、開閉回路が切断状態を形成することにより、ただちにアラーム１２が鳴って、周囲の注意を引くことで、窃盗等の不当行為に及ぼうとする者を退散させて盗難を防止する。【選択図】図１
0003138566.tif 000002
【実用新案登録請求の範囲】
【請求項１】
盗難防止機能を有するバッグであって、
バッグの隠れた位置に設けられたコントロールスイッチと、
バッグの隠れた位置に設けられた音を発するアラームと、
バッグ各面に配置され、コントロールスイッチおよびアラームに接続されている開閉回路とを備え、
使用者が前記コントロールスイッチを起動させた後、バッグの固定面と可動面が相対移動したとき、および、バッグの面が損傷したとき、前記開閉回路が切断状態を形成することにより、前記アラームが鳴ることを特徴とする盗難防止機能を有するバッグ。
【考案の詳細な説明】
【技術分野】
【０００１】
本考案は、盗難防止機能を有するバッグに関する。
【背景技術】
【０００２】
従来、女性用バッグにアラームを発生させる警報装置を内蔵する場合がある。この場合、バッグの所有者が当該バッグとは別体の警報装置を作動して、ただちにアラームを発生させ、窃盗者を退散させる。
一方、バッグを開けたときに作動する警報装置が知られている。このような装置であると、窃盗者は奪ったバッグを開けたときに作動する警報装置が内蔵されている可能性があることを知っている場合には、バッグを開けずに他の面を刃物で切ることで破壊してバッグ内の物品を取得する場合が多いため、内蔵された警報装置が所定の効果を発揮できないことがある。
【考案の開示】
【考案が解決しようとする課題】
【０００３】
本考案は、上記の問題を解決するため、コントロールスイッチおよびアラームに接続されている開閉回路をバッグ各面に配置し、バッグの固定面と可動面が相対移動したとき、および、バッグの面が損傷したとき、前記開閉回路が切断状態を形成することにより、前記アラームが鳴ることを特徴とする、盗難防止機能を有するバッグを提供することを課題とする。
前記盗難防止機能を有するバッグは、使用者がコントロールスイッチを起動させた後、バッグのいかなる面が開けられたり、破壊されたりした場合でも、ただちにアラームが鳴って、周囲の注意を引くことで、窃盗等の不当行為に及ぼうとする者を退散させて、盗難を防止する。
【０００４】
本考案の目的は、コントロールスイッチがワイヤレスリモコンによってコントロールされることを特徴とする盗難防止機能を有するバッグを提供することにある。
本考案の目的は、アラームが異なる形態によってバッグに内蔵されることで、それを隠し、美観を保つことを特徴とする盗難防止機能を有するバッグを提供することにある。
【０００５】
本考案の目的は、アラームが異なる形態によってバッグに内蔵されることで、装飾されて容易に発見されることがなく、同時に破壊されるのを回避するという二重の効果を有することを特徴とする盗難防止機能を有するバッグを提供することにある。
本考案の目的は、開閉回路が至る所に設置されることが可能で、異なる形式のバッグと組み合わせることができることを特徴とする盗難防止機能を有するバッグを提供することにある。
【０００６】
本考案の目的は、バッグのファスナーの位置に回路を接続させることで、同様に音を発して、周囲の注意を引き、アラーム効果を発揮して、窃盗者を退散させて盗難を防止する効果を有することを特徴とする盗難防止機能を有するバッグを提供することにある。
本考案の目的は、開閉回路がバッグの手提げ型、肩掛け型のベルトの中に適用されて、さらに盗難防止効果の目的を果たすことを特徴とする盗難防止機能を有するバッグを提供することにある。
【課題を解決するための手段】
【０００７】
上記目的を達するため、本考案の盗難防止機能を有するバッグは、バッグの隠れた位置にコントロールスイッチおよび音を発するアラームがそれぞれ設置される。さらに、開閉回路がバッグ各面に配置されており、それがコントロールスイッチおよびアラームに接続されている。したがって、使用者がコントロールスイッチを起動させた後、バッグのいかなる面が開けられたり、破壊されたりした場合でも、開閉回路が切断状態を形成することにより、ただちにアラームが鳴って、周囲の注意を引くことで、窃盗等の不当行為に及ぼうとする者を退散させて、盗難を防止することが可能である。
（考案の効果）
【０００８】
本考案の盗難防止機能を有するバッグは、アラームが異なる形態によってバッグに内蔵されることで、それを隠し、美観を保つことが可能である。
本考案の盗難防止機能を有するバッグは、アラームが異なる形態によってバッグに内蔵されることで、装飾されて容易に発見されることがなく、同時に破壊されるのを回避するという二重の効果を有する。
【０００９】
本考案の盗難防止機能を有するバッグは、開閉回路が至る所に設置されることが可能で、異なる形式のバッグと組み合わせることができる。
本考案の盗難防止機能を有するバッグは、バッグのファスナーの位置に回路を接続させることで、同様に音を発して周囲の注意を引き、アラーム効果を発揮して、窃盗者を退散させて盗難を防止する効果を有する。
本考案の盗難防止機能を有するバッグは、開閉回路がバッグの手提げ型、肩掛け型のベルトの中に適用されて、さらに盗難防止効果の目的を果たす。
【考案を実施するための最良の形態】
【００１０】
以下、本考案の実施例を図面に基づいて説明する。
（一実施例）
本考案の一実施例による盗難防止機能を有するバッグを図１、図２および図３に示す。
バッグ１は、外観上、ほぼ六面体からなり、その六面体を構成する正面５１、背面５２、左側面５３、右側面５４、蓋面５５、底面５６を有する。固定面としての正面５１から可動面としての蓋面５５が離れたとき、開状態になり、正面５１に蓋面５５が接したとき閉状態になる。
【００１１】
肩掛け型のベルト１３は、一端１３１が左側面５３の下部に固定され、他端１３２が右側面５４の下部に固定されている。
コントロールスイッチ１１は、バッグ１の隠れた位置に、つまりバッグ１の左側面５３の隅に、さらに詳しくはベルト１３の一端１３１の近隣位置に設置され、このコントロールスイッチ１３１の近隣位置で正面４１の隅に音を発するアラーム１２が設置される。
【００１２】
ここで、バッグの隠れた位置に設けられたコントロールスイッチとは、外観上、その存否が不明であるか、またはそれがコントロールスイッチか否か判別できない程度に設けられている当該スイッチをいう。バッグの隠れた位置に設けられたアラームとは、外観上、その存否が不明であるか、またはそれがアラームか否か判別できない程度に設けられている当該アラームをいう。
さらに、開閉回路１５がバッグ１の各面５１から５６に張り巡らすように配置されており、コントロールスイッチ１１およびアラーム１２に接続されている。
【００１３】
次に作用について説明する。
使用者がコントロールスイッチ１１を起動させた後、もしバッグ１の所有者以外の者がバッグを開けると、図４Ａおよび図４Ｂに示すように、正面５１から蓋面５５が矢印５６の方向に離れ、開閉回路１５に切断状態が形成される。これにより、ただちにアラーム１２が音を発生させ、周囲の注意を引き、アラーム効果を発揮することで、窃盗者を退散させる目的を果たす。
さらに図５Ａおよび図５Ｂに示すように、正面５１ではなく、何らかの道具によってバッグ１の蓋面５５が破壊された場合、開閉回路１５に切断状態が形成される。これにより、アラーム１２がただちに音を発生し、周囲の注意を引き、アラーム効果を発揮することで、窃盗者を退散させる目的を果たす。
【００１４】
さらに、本実施例では、その場で驚かせる作用を有する外、別にコントロールスイッチ１１をワイヤレスでコントロールすることが可能である。また、アラーム１２は、異なる形態でバッグ１に組み合わせて隠されることにより、美観を保ち、装飾効果も有すると同時に、容易にその存在を発見されないため、破壊されることを回避するという二重の効果を有する。さらに、前記開閉回路はバッグの手提げ型、肩掛け型のベルト１３に適用することも可能で、引ったくり等の被害にあった場合、ベルトを引っ張り合う過程において、ただちに音を発し、周囲の注意を引き、アラーム効果を発揮し、盗難防止の目的を果たす。
【００１５】
（他の実施例）
本考案による開閉回路は、至る所に設置が可能で、図６に示す異なる形式のバッグ２、図７に示す財布３に組み合わせることも可能である。
本考案では、コントロールスイッチおよび音を発するアラームの位置は、上記実施例の位置に限られない。
本考案の他の実施例では、開閉回路はバッグのファスナーの位置に接続させることも可能であり、この場合も同様に音を発生させ、周囲の注意を引き、アラーム効果を発揮することで、窃盗者を退散させる目的を果たす。
【図面の簡単な説明】
【００１６】
【図１】本考案の一実施例による盗難防止機能を有するバッグを示す斜視図である。
【図２】本考案の一実施例による盗難防止機能を有するバッグを示す模式図である。
【図３】本考案の一実施例による盗難防止機能を有するバッグに備えられた開閉回路を示す回路図である。
【図４Ａ】本考案の一実施例による盗難防止機能を有するバッグを示す斜視図である。
【図４Ｂ】本考案の一実施例による盗難防止機能を有するバッグに備えられた開閉回路を示す回路図である。
【図５Ａ】本考案の一実施例による盗難防止機能を有するバッグを示す斜視図である。
【図５Ｂ】本考案の一実施例による盗難防止機能を有するバッグに備えられた開閉回路を示す回路図である。
【図６】本考案の他の実施例による盗難防止機能を有するバッグを示す斜視図である。
【図７】本考案の他の実施例による盗難防止機能を有するバッグを示す斜視図である。
【符号の説明】
【００１７】
１：バッグ、１１：コントロールスイッチ、１２：アラーム、１３：ベルト部分
【図１】
0003138566.tif 000003
【図２】
0003138566.tif 000004
【図３】
0003138566.tif 000005
【図４Ａ】
0003138566.tif 000006
【図４Ｂ】
0003138566.tif 000007
【図５Ａ】
0003138566.tif 000008
【図５Ｂ】
0003138566.tif 000009
【図６】
0003138566.tif 000010
【図７】
0003138566.tif 000011